(57)【特許請求の範囲】
【請求項１】
周壁をポーラスなコンクリートで形成して周壁に透水性を持たせた浸透井戸のような比較的脆弱な構造物の吊り金具において、前記構造物の底壁に周状にループ鉄筋を、周壁には前記ループ鉄筋の周上に等間隔に且つ底壁に対して略垂直状に吊り鉄筋をそれぞれ埋設するとともに、その吊り鉄筋の下端はループ鉄筋に係合させ、吊り鉄筋の上端には係止部を設けて構造物上端から突出させ、その係止部に索条部材を係合させて、吊り込むようにした、ことを特徴とする構造物吊り金具。
【請求項２】
上記底壁に、構造物を段積みしたときの下段側構造物の係止部に対応させて係止部収納凹部を形成した、ことを特徴とする請求項１に記載の構造物吊り金具。
【発明の詳細な説明】
【０００１】
【発明の属する技術分野】
この発明は、構造物を吊り具で吊り込む際に用いる構造物吊り金具に関するものである。
【０００２】
【従来の技術】
従来、構造物を吊り具で吊り込む場合は、例えば図２に示すように、構造物２００の下端部２０１の４カ所に切り欠き部２０２…を設け、そこにワイヤーロープ３００…を十字状に通して上方で交差させ、その交差部分３０１を吊り上げることで行っていた。
【０００３】
【発明が解決しようとする課題】
しかし、上記の吊り込み方法では、構造物２００の自重が切り欠き部２０２…に集中するため、切り欠き部２０２…が破損することがあった。特に、周壁２０３をポーラスなコンクリートで形成して周壁２０３に透水性を持たせた浸透井戸のような比較的脆弱な構造物を吊り込もうとすると、切り欠き部２０２だけの破損に終わらず、ワイヤーロープ３００が周壁２０３に接触して周壁２０３にひびが入ったり、その切り欠き部２０２や周壁２０３のひびから構造物２００自体の破壊につながることもあり、安全上にも問題を有していた。
また、構造物２００を吊り上げて段重ねする場合、下段の構造物に対する位置合わせが難しく、その位置合わせを正確に行うために、段重ね作業に時間を要していた。
【０００４】
この発明は上記に鑑み提案されたもので、構造物の破損や破壊を招くことなく、安全かつ確実に吊り込み作業を行うことができる構造物吊り金具を提供することを第１の目的とする。
また、構造物を吊り上げて段重ねする場合の正確な位置合わせを簡単に行えるようにすることを第２の目的としている。
【０００５】
【課題を解決するための手段】
上記第１の目的を達成するために、請求項1に記載の発明は、周壁をポーラスなコンクリートで形成して周壁に透水性を持たせた浸透井戸のような比較的脆弱な構造物の吊り金具において、前記構造物の底壁に周状にループ鉄筋を、周壁には前記ループ鉄筋の周上に等間隔に且つ底壁に対して略垂直状に吊り鉄筋をそれぞれ埋設するとともに、その吊り鉄筋の下端はループ鉄筋に係合させ、吊り鉄筋の上端には係止部を設けて構造物上端から突出させ、その係止部に索条部材を係合させて、吊り込むようにした、ことを特徴としている。また、上記第２の目的を達成するために、請求項２に記載の発明は、上記した請求項１に記載の発明の構成に加えて、上記底壁に、構造物を段積みしたときの下段側構造物の係止部に対応させて係止部収納凹部を形成した、ことを特徴としている。
【０００６】
【発明の実施の形態】
以下にこの発明の実施の形態を図面に基づいて詳細に説明する。
図１はこの発明の構造物吊り金具の構成例およびその吊り込み方法を示す図で、（ａ）は平面図、（ｂ）は正面図である。なお、この発明の構造物吊り金具１が適用される構造物２としては、地上、地中あるいは地下に設置される様々な施設がその対象となりうるが、ここでは浸透井戸に適用した場合を説明する。この構造物（浸透井戸）２は、ポーラスなコンクリートで形成した周壁２１と、通常の堅固なコンクリートで形成した上壁２２、底壁２３とから成り、地中に設置しそのポーラスな周壁２１から地下水を浸透させて貯留し井戸として用いるものである。
【０００７】
この発明の構造物吊り金具１は、ループ鉄筋１１と、周上に等間隔に配置した複数本（ここでは３本）の吊り鉄筋１２…とから成っている。
【０００８】
ループ鉄筋１１は構造物２の底壁２３に周状に、各吊り鉄筋１２は構造物２の周壁２１に底壁２３に対して略垂直状に、それぞれ埋設されており、各吊り鉄筋１２の下端部１２ａは鉤状に曲がってループ鉄筋１１に係合し、各吊り鉄筋１２の上端には穴１３ａを有する厚板状の係止部１３が、その穴１３ａを上にして構造物２の上壁２２の上端から突き出すようにして設けてある。
【０００９】
また、底壁２３には、構造物２を段積みしたときの下段側構造物の各係止部１３に対応させて、当該係止部１３の凸部分を収納可能な係止部収納凹部１４…が形成してある。
【００１０】
上記構成の構造物吊り金具１において、構造物２を吊り上げるときは、各係止部１３の穴１３ａに索条部材３…、例えばワイヤーロープやチェーンを係止させ、その索条部材３…を中央で結合させ、その結合部分３１をクレーン等で吊り上げるようにする。
【００１１】
このように、ループ鉄筋１１と各吊り鉄筋１２とを構造物２に埋設し、ループ鉄筋１１に係合された各吊り鉄筋１２を索状部材３で吊り上げるようにしたので、構造物２に集中荷重をかけることなく吊り上げることができ、吊り上げ時の破壊安全性を大幅に向上させることができる。したがって、浸透井戸のような比較的脆弱な構造物であっても、破損や破壊を招くことなく、安全かつ確実に吊り込み作業を行うことができる。
【００１２】
また、クレーン等で吊り上げた後、構造物２を段重ねするときは、下段側の構造物２の係止部１３に、吊り上げている当該構造物２の係止部収納凹部１４をあてがい、徐々に積み降ろすようにする。これにより、下段構造物２の係止部１３がガイドの役割を果たすことになり、下段に対してほとんどずれることなく当該構造物２を積み重ねることができ、正確な位置合わを簡単に行うことができる。
【００１３】
【発明の効果】
以上説明したように、この発明の構造物吊り金具によれば、周壁をポーラスなコンクリートで形成して周壁に透水性を持たせた浸透井戸のような比較的脆弱な構造物の吊り金具において、ループ鉄筋とこのループ鉄筋の周上に等間隔に各吊り鉄筋とを構造物に埋設し、ループ鉄筋に係合された各吊り鉄筋を索状部材で吊り上げるようにしたので、構造物に集中荷重をかけることなくバランスよく吊り上げることができ、吊り上げ時の破壊安全性を大幅に向上させることができ、したがって浸透井戸のような比較的脆弱な構造物であっても、破損や破壊を招くことなく、安全かつ確実に吊り込み作業を行うことができる。
【００１４】
また、クレーン等で吊り上げた後、構造物を段重ねするときは、下段側の構造物の係止部に、吊り上げている当該構造物の係止部収納凹部をあてがい、徐々に積み降ろすようにしたので、下段構造物の係止部がガイドの役割を果たすことになり、下段に対してほとんどずれることなく当該構造物を積み重ねることができ、正確な位置合わを簡単に行うことができる。
【図面の簡単な説明】
【図１】この発明の構造物吊り金具の構成例およびその吊り込み方法を示す図で、（ａ）は平面図、（ｂ）は正面図である。
【図２】従来の構造物吊り込み方法を示す図で、（ａ）は平面図、（ｂ）は正面図である。
【符号の説明】
１    構造物吊り金具
１１    ループ鉄筋
１２    吊り鉄筋
１３    係止部
１３ａ  係止部の穴
２    構造物（浸透井戸）
２１    周壁
２２    上壁
２３    底壁
３    索状部材
【図１】
0003720944.tif 000002
【図２】
0003720944.tif 000003